【手続補正書】
【提出日】平成25年7月26日(2013.7.26)
【手続補正１】
【補正対象書類名】明細書
【補正対象項目名】発明の名称
【補正方法】変更
【補正の内容】
【発明の名称】動画撮影装置、動画撮影方法、ダイジェスト再生設定装置、ダイジェスト再生設定方法、及び、プログラム
【手続補正２】
【補正対象書類名】明細書
【補正対象項目名】０００１
【補正方法】変更
【補正の内容】
【０００１】
この発明は、動画撮影装置、動画撮影方法、ダイジェスト再生設定装置、ダイジェスト再生設定方法、及び、プログラムに関する。
【手続補正３】
【補正対象書類名】明細書
【補正対象項目名】０００６
【補正方法】変更
【補正の内容】
【０００６】
この発明の目的は、ユーザに負担をかけず、容易に各動画部分を取捨選択可能とする動画撮影装置、動画撮影方法、ダイジェスト再生設定装置、ダイジェスト再生設定方法、及び、プログラムを提供することにある。
【手続補正４】
【補正対象書類名】明細書
【補正対象項目名】０００７
【補正方法】変更
【補正の内容】
【０００７】
本発明は、上記目的を達成するため、
動画を撮影する撮影手段と、
移動時の状況を検出するための計測を行うセンサと、
このセンサの計測値に基づいて前記移動時の状況の種別を判別する動作判別手段と、
この動作判別手段により判別された前記状況の種別に応じて、前記撮影手段により撮影された動画において、当該状況の種別が判別された期間に対応する動画部分に対して所定の基準に基づき優先度を設定する優先度設定手段と、
この優先度設定手段により設定された優先度と、前記動画部分とを対応付けて記憶する記録手段と、
前記動画部分のうちの一部または全部を選択することでダイジェスト再生対象の動画の再生部分を設定するダイジェスト再生設定手段を備え、
このダイジェスト再生設定手段は、
高い優先度が設定された動画部分から順番に選択する部分選択手段と、
この部分選択手段で動画部分が選択される毎に、選択された動画部分の合計時間と、予め設定されたダイジェスト再生時間の範囲とを比較する選択時間比較手段と、
この選択時間比較手段により、前記選択された動画部分の合計時間が前記ダイジェスト再生時間の範囲を超えたと判別された場合には、この一回前迄に選択されていた前記動画部分をダイジェスト再生対象の動画の再生部分として設定する設定手段と、
を備えることを特徴とする動画撮影装置である。
【手続補正５】
【補正対象書類名】明細書
【補正対象項目名】０００９
【補正方法】変更
【補正の内容】
【０００９】
【図１】本発明の実施形態の動画撮影装置の内部構成を示すブロック図である。
【図２】第１実施形態の動画撮影装置における撮影処理の制御手順を示すフローチャートである。
【図３】動画撮影装置によって撮影されたシーンの例を示す図である。
【図４】動画撮影装置によって撮影されたシーンの例を示す図である。
【図５】第１実施形態の動画撮影装置におけるダイジェスト再生処理の制御手順を示すフローチャートである。
【図６】第１実施形態の動画撮影装置で撮影された映像からダイジェスト再生を行う場合のシーンの選択について説明する図である。
【図７】ダイジェスト再生処理で呼び出されるダイジェスト画像選択処理の制御手順を示すフローチャートである。
【図８】ダイジェスト画像選択処理の他の例を示すフローチャートである。
【図９】ダイジェスト画像選択処理の他の例を示すフローチャートである。
【図１０】第２実施形態の動画撮影装置における撮影処理の制御手順を示すフローチャートである。
【手続補正６】
【補正対象書類名】明細書
【補正対象項目名】００１６
【補正方法】変更
【補正の内容】
【００１６】
本実施形態の動画撮影装置１は、３種類の計測センサを備えている。
３軸地磁気センサ１９は、３軸方向の地磁場を計測するセンサであり、例えば、磁気抵抗素子を用いた半導体センサである。３軸加速度センサ２０は、３軸方向の加速度を計測するセンサであり、例えば、静電容量を用いて測定を行う。気圧センサ２１は、大気圧を測定するセンサであり、例えば、ピエゾ抵抗を用いた半導体センサである。
【手続補正７】
【補正対象書類名】明細書
【補正対象項目名】００１９
【補正方法】変更
【補正の内容】
【００１９】
電源部２３は、動画撮影装置１の各部に動作用の電力を供給する。この電源部２３には、動画撮影装置１が必要とする電力量に応じた必要な出力電圧及び容量の電池が備えられており、この電池は、着脱及び交換可能か、又は、外部電源との接続により充電可能に構成されている。電源部２３は、電池の出力電圧を必要に応じて動画撮影装置１の各部の入力電圧に変換して出力する。また、電源部２３から各部へ供給される電力は、ＣＰＵ１０を介するものだけではなく、各部に直接供給されるものであっても良い。
【手続補正８】
【補正対象書類名】明細書
【補正対象項目名】００２１
【補正方法】変更
【補正の内容】
【００２１】
この第１実施形態の動画撮影装置１における動画の撮影処理では、例えば、自転車に取り付けられて走行中に撮影が行われる際に、停止（自転車の停車）時とノイズ判定時を除いて撮影が継続される。
【手続補正９】
【補正対象書類名】明細書
【補正対象項目名】００２３
【補正方法】変更
【補正の内容】
【００２３】
次に、ＣＰＵ１０は、各センサから計測値を取得する（ステップＳ１２）。ＣＰＵ１０は、３軸地磁気センサ１９から３軸方向の磁場強度の計測値、３軸加速度センサ２０から３軸方向の加速度の計測値、及び、気圧センサ２１から気圧の計測値をそれぞれ取得する。ＣＰＵ１０は、動画撮影装置１における３軸地磁気センサ１９及び３軸加速度センサ２０の計測値を予めメモリ１１に格納されている所定の同定ロジックに基づいて、適切に座標変換を行って東西南北の方位角方向、及び、垂直上下方向における動画撮影装置１の姿勢及び動作を同定する。また、気圧センサ２１の出力データを予めメモリ１１に保持されたテーブルデータに基づいて高度値に変換する。ＣＰＵ１０は、これらの計測値及び算出値のうち、少なくとも直近の所定時間内のデータをＲＡＭ１２などに一時記憶させる。
【手続補正１０】
【補正対象書類名】明細書
【補正対象項目名】００２５
【補正方法】変更
【補正の内容】
【００２５】
ＣＰＵ１０は、ステップＳ１２、Ｓ１３の処理で得られた各データに基づき、動画撮影装置１、即ち、ユーザの移動状態を状態判別処理部１５に判定させる（ステップＳ１４）。
【手続補正１１】
【補正対象書類名】明細書
【補正対象項目名】００２９
【補正方法】変更
【補正の内容】
【００２９】
ステップＳ２１の判別処理で停止状態ではないと判別されると、次に、ＣＰＵ１０は、移動状態が「発進状態」であるか否かを判別する（ステップＳ３１）。ＣＰＵ１０は、前回の移動状態が停止状態であり、且つ、今回の移動状態が停止状態ではない場合に、発進状態であると判別する。或いは、ＣＰＵ１０は、所定時間停止状態が継続された後に、所定時間非停止状態が継続されたとの判別がなされた場合に、発進状態と判別することとしても良い。発進状態であると判別された場合には、ＣＰＵ１０は、次に、この発進が今回の撮影における最初の発進タイミングであるか否かを判別する（ステップＳ３２）。最初の発進タイミングであると判別された場合には、ＣＰＵ１０は、優先度を「１」に設定し、当該優先度が設定された時刻と共に映像記録装置１４に記憶させる（ステップＳ３３）、一方、最初の発進タイミングではないと判別された場合には、ＣＰＵ１０は、優先度を「４」に設定し、優先度が設定された時刻データと関連付けて映像記録装置１４に記憶させる（ステップＳ３４）、ステップＳ３３、Ｓ３４の何れかの処理で優先度が設定されると、ＣＰＵ１０は、撮影を開始する（ステップＳ３５）。撮影が開始されると、ＣＰＵ１０の処理は、ステップＳ７３に移行する。なお、優先度は、数値が小さいほど高いこととする。
【手続補正１２】
【補正対象書類名】明細書
【補正対象項目名】００３２
【補正方法】変更
【補正の内容】
【００３２】
ここで、曲がり角やカーブの走行時を自転車のふらつきなどによる回転検出と区別するには、多少の時間が必要となることがある。そこで、優先度「２」を設定するタイミングとしては、実際に方向回転が検出されたタイミングではなく、これより所定時間前のタイミングとすることが可能である。この所定時間は一律に定めても良いし（例えば、１０秒）、或いは、計測値の履歴に基づいて判別結果に従う変化が現れだしたタイミングを毎回再検出することとしても良い。ステップＳ４４の処理が終了すると、ＣＰＵ１０の処理は、ステップＳ７３に移行する。
【手続補正１３】
【補正対象書類名】明細書
【補正対象項目名】００３４
【補正方法】変更
【補正の内容】
【００３４】
ステップＳ４１の判別処理で、方向回転状態ではないと判別された場合には、ＣＰＵ１０は、更に、移動状態が登り下り状態であるか否かを判別する（ステップＳ５１）。ＣＰＵ１０は、気圧センサ２１の出力データに基づいて求められた高度の変化、３軸地磁気センサ１９の計測により求められた動画撮影装置１が備えられた自転車等の姿勢の変化、及び、３軸加速度センサ２０により求められた上下方向への加速度変化の特性に基づいて、登り下りの状態を判別する。登り下り状態であると判別された場合には、ＣＰＵ１０は、続いて、登り下り状態が前回の移動状態判別時から継続して判別されたか、または、優先度が「３」以上に設定されているか否かを判別する（ステップＳ５２）。ここでは、ＣＰＵ１０は、優先度が「１」であるか、及び、回転フラグ、昇降フラグの少なくともいずれかがセットされているかを調べる。優先度が「１」ではなく、回転フラグ及び昇降フラグの何れもセットされていないと判別された場合には、ＣＰＵ１０は、昇降フラグをセットし（ステップＳ５３）、また、優先度を「３」に設定すると共に、この優先度と時刻データとを関連付けて映像記録装置１４に記憶させる（ステップＳ５４）。それから、ＣＰＵ１０の処理は、ステップＳ７３に移行する。
【手続補正１４】
【補正対象書類名】明細書
【補正対象項目名】００３５
【補正方法】変更
【補正の内容】
【００３５】
ここで、ステップＳ５１の処理において登り下りの動作が開始されてからこの状態が実際に判別されるまでには、ある程度の時間が経過する場合がある。このような場合には、ステップＳ４４の処理と同様に、ステップＳ５４の処理において優先度「３」を設定する動画部分の先頭位置を実際の判別処理がなされたタイミングより所定時間前に遡って設定するよう構成することが出来る。
【手続補正１５】
【補正対象書類名】明細書
【補正対象項目名】００４３
【補正方法】変更
【補正の内容】
【００４３】
先ず、スタート地点で撮影開始準備が整った後に、図３（ａ）に示すスタート地点で走行を開始すると、発進判定がなされ（ステップＳ３１で“ＹＥＳ”）、これが最初の発進タイミングとなる（ステップＳ３２で“ＹＥＳ”）ので、優先度「１」が設定されて（ステップＳ３３）、動画の撮影が開始される（ステップＳ３５）。また、優先度「１」の継続時間のカウントが開始される（ステップＳ７３）。
【手続補正１６】
【補正対象書類名】明細書
【補正対象項目名】００４９
【補正方法】変更
【補正の内容】
【００４９】
ユーザが操作キー２４の操作入力により表示部２２への動画のダイジェスト再生命令がＣＰＵ１０に入力されると、ＣＰＵ１０は、ダイジェスト再生処理を開始する。ＣＰＵ１０は、先ず、再生対象の動画のトータル時間を確認する（ステップＳ１１１）。次に、ＣＰＵ１０は、この動画のトータル時間が、予め設定されたダイジェスト再生時間内であるか否かを判別する（ステップＳ１１２）。動画のトータル時間がダイジェスト再生時間内であると判別された場合には、ＣＰＵ１０は、動画を全て再生の対象として選択して（ステップＳ１１３）、処理をステップＳ１１５の処理に移行させる。
【手続補正１７】
【補正対象書類名】明細書
【補正対象項目名】００５０
【補正方法】変更
【補正の内容】
【００５０】
一方、動画のトータル時間がダイジェスト時間内にないと判別された場合には、ＣＰＵ１０は、プライオリティ計算処理部１６に命令を送り、後述する真の優先度を逐次計算させながら、この真の優先度に基づいて、動画データからダイジェスト再生対象シーンの選択処理を行う（ステップＳ１１４）。このステップＳ１１４の処理内容に関しては、後に詳述する。
【手続補正１８】
【補正対象書類名】明細書
【補正対象項目名】００５１
【補正方法】変更
【補正の内容】
【００５１】
ダイジェスト時間内に再生させる動画のシーン選択が終了すると、ＣＰＵ１０は、動画の再生開始処理を行う（ステップＳ１１５）。ＣＰＵ１０は、表示部２２への表示出力を切り替え、映像記録装置１４に記録された画像データをデコードして出力可能とする。
【手続補正１９】
【補正対象書類名】明細書
【補正対象項目名】００５５
【補正方法】変更
【補正の内容】
【００５５】
次に、本実施形態の動画撮影装置１におけるダイジェスト（再生対象シーンの）画像の選択処理について説明する。
図６は、動画撮影装置１において撮影された動画データの各シーンの優先度設定の例、及び、ダイジェスト再生の際のシーン選択について説明する図である。
【手続補正２０】
【補正対象書類名】明細書
【補正対象項目名】００５８
【補正方法】変更
【補正の内容】
【００５８】
真の優先度の算出には、例えば、既に選択された両隣のシーンの先頭時間からの時間差の差Ｄｔを用いることが出来る。
Ｄｔ＝｜（α−Ｔｐ）−（Ｔｌ−α）｜  …  （１）
ここで、αが選択候補となるシーンの先頭時間、Ｔｐが既に選択された前側のシーンの先頭時間、Ｔｌが既に選択された後ろ側のシーンの先頭時間をそれぞれ示す。
【手続補正２１】
【補正対象書類名】明細書
【補正対象項目名】００６０
【補正方法】変更
【補正の内容】
【００６０】
次に、シーン１５が選択されたことで、残り２箇所のシーンの真の優先度が変化するので、改めて計算を行う。シーン２、４の真の優先度は、それぞれ、１１、７となる。従って、シーン４が選択される。これにより、選択されたシーンの合計時間が４分となるが、これもまだ、設定されたダイジェスト時間よりも短い。そこで、最後にシーン２が選択される（図６（ｃ））。こうして、優先度２のシーンが全て選択されたときに、選択されたシーンの合計時間が未だ設定されたダイジェスト時間より短い場合には、次に優先度３のシーンから順番にダイジェスト再生の対象として選択される。
【手続補正２２】
【補正対象書類名】明細書
【補正対象項目名】００６２
【補正方法】変更
【補正の内容】
【００６２】
第１の方法としては、動画の先頭から順番に既に選択された隣接する２つのシーンを指定していき、当該シーン間に選択候補の優先度３のシーンが存在するか否かを判別する。そして、シーンが存在する場合には、当該シーンの中から最も真の優先度が高いものを１つ選択する。それから、指定する２つの隣接シーンを順次後ろにずらしていく。この方法を用いた場合には、図６（ｄ１）に示すように、先ず、シーン０、２間、及び、シーン２、４間には、優先度３のシーンが存在しないので、そのままスキップする。次いで、シーン４、１５間に１つの優先度３のシーン７があるので、このシーン７が自動的に選択される。それから、シーン１５、３１間には、優先度３のシーン２４、２８が存在するので、これらのシーンのうち真の優先度が最も高いもの（差Ｄｔが最も小さいもの）を選択する。ここでは、シーン２４が選択される。指定されたシーンが最後のシーン３１まで到達して未だ全ての優先度３のシーンが選択されていない場合には、残りのシーンについて真の優先度を再計算した後に再度先頭からシーンの指定と選択が行われ、最終的にシーン２８が選択される。
【手続補正２３】
【補正対象書類名】明細書
【補正対象項目名】００６４
【補正方法】変更
【補正の内容】
【００６４】
また、第２の方法の変形例としては、優先度３のシーンについて、真の優先度が高いものから１つのシーンが選択される毎に真の優先度が再計算されることとする。この場合には、図６（ｄ３）に示すように、シーン２４、シーン２８、シーン７の順番に選択されていく。
【手続補正２４】
【補正対象書類名】明細書
【補正対象項目名】００６５
【補正方法】変更
【補正の内容】
【００６５】
ここで、前後の２つのシーンＴｐ、Ｔｌ間の長さが短い区間内にある選択候補のシーンαの差Ｄｔは、小さくなりやすく、狭い区間から多くのシーンが選択されることになる。そこで、真の優先度の算出の際に、シーン間の長さを考慮に入れることもできる。例えば、真の優先度Ｐを以下のように求めることが出来る。
Ｐ＝Ｌ／Ｄｔ  …  （２）
ここでＬは、前後の２つのシーンＴｐ、Ｔｌ間の長さを示し、Ｐが大きいほど真の優先度が高くなる。
或いは、真の優先度Ｐを求める際に２つのシーン間の差Ｄｔではなく、例えば、２つのシーン間の積（α−Ｔｐ）×（Ｔｌ−α）のような値を用いることも出来る。
【手続補正２５】
【補正対象書類名】明細書
【補正対象項目名】００７３
【補正方法】変更
【補正の内容】
【００７３】
ダイジェスト時間内であると判別された場合には、ＣＰＵ１０は、抽出シーンをダイジェスト再生の選択シーンに追加する（ステップＳ２１９）。そして、ＣＰＵ１０の処理は、ステップＳ２２０に移行する。
【手続補正２６】
【補正対象書類名】明細書
【補正対象項目名】００７７
【補正方法】変更
【補正の内容】
【００７７】
ステップＳ２１２において、優先度ｉの画像情報が抽出されると、ＣＰＵ１０は、これら優先度ｉのシーン全ての真の優先度をプライオリティ計算処理部１６に計算させる（ステップＳ２１６）。そして、ＣＰＵ１０は、求められた真の優先度が最も高いものを抽出し、ダイジェスト再生画像が設定されたダイジェスト時間内に収まる範囲で順番に選択されていく（ステップＳ２１７〜Ｓ２２１）。ここで、ＣＰＵ１０がステップＳ２１９の処理で抽出シーンを選択シーンに追加するたびに、ＣＰＵ１０の処理は、ステップＳ２１６で真の優先度を計算しなおす。従って、選択されたシーンに隣接するシーンの真の優先度が低く再設定されることになる。
【手続補正２７】
【補正対象書類名】明細書
【補正対象項目名】００９３
【補正方法】変更
【補正の内容】
【００９３】
［第２実施形態］
次に、第２実施形態の動画撮影装置について説明する。
この第２実施形態の動画撮影装置１の内部構成は、図１に示した第１実施形態の動画撮影装置１の内部構成と同一であるので、詳細な説明を省略するとともに、以後、同一の符号を用いて説明する。
【手続補正２８】
【補正対象書類名】明細書
【補正対象項目名】０１０４
【補正方法】変更
【補正の内容】
【０１０４】
また、上記実施の形態で示した動画撮影装置１は、音声を合わせて録音することが可能であっても良い。
【手続補正２９】
【補正対象書類名】特許請求の範囲
【補正対象項目名】全文
【補正方法】変更
【補正の内容】
【特許請求の範囲】
【請求項１】
動画を撮影する撮影手段と、
移動時の状況を検出するための計測を行うセンサと、
このセンサの計測値に基づいて前記移動時の状況の種別を判別する動作判別手段と、
この動作判別手段により判別された前記状況の種別に応じて、前記撮影手段により撮影された動画において、当該状況の種別が判別された期間に対応する動画部分に対して所定の基準に基づき優先度を設定する優先度設定手段と、
この優先度設定手段により設定された優先度と、前記動画部分とを対応付けて記憶する記録手段と、
前記動画部分のうちの一部または全部を選択することでダイジェスト再生対象の動画の再生部分を設定するダイジェスト再生設定手段を備え、
このダイジェスト再生設定手段は、
高い優先度が設定された動画部分から順番に選択する部分選択手段と、
この部分選択手段で動画部分が選択される毎に、選択された動画部分の合計時間と、予め設定されたダイジェスト再生時間の範囲とを比較する選択時間比較手段と、
この選択時間比較手段により、前記選択された動画部分の合計時間が前記ダイジェスト再生時間の範囲を超えたと判別された場合には、この一回前迄に選択されていた前記動画部分をダイジェスト再生対象の動画の再生部分として設定する設定手段と、
を備えることを特徴とする動画撮影装置。
【請求項２】
動画を撮影する撮影手段と、
移動時の状況を検出するための計測を行うセンサと、
このセンサの計測値に基づいて前記移動時の状況の種別を判別する動作判別手段と、
この動作判別手段により判別された前記状況の種別に応じて、前記撮影手段により撮影された動画において、当該状況の種別が判別された期間に対応する動画部分に対して所定の基準に基づき優先度を設定する優先度設定手段と、
この優先度設定手段により設定された優先度と、前記動画部分とを対応付けて記憶する記録手段と、
を備えることを特徴とする動画撮影装置。
【請求項３】
前記撮影手段は、前記優先度設定手段により所定レベル以上の優先度が設定されない期間において、前記動画の撮影を停止することを特徴とする請求項１又は２記載の動画撮影装置。
【請求項４】
前記動作判別手段は、所定の基準以上のブレ動作を伴う状況を判別し、
前記撮影手段は、前記動作判別手段により前記ブレ動作を伴う状況が判別された場合には、前記動画の撮影を停止することを特徴とする請求項１〜３の何れか一項に記載の動画撮影装置。
【請求項５】
前記優先度設定手段は、
一の優先度の設定が行われたタイミングから所定の時間が経過した場合、又は、当該一の優先度より上位の優先度が重ねて設定された場合に、前記一の優先度の設定期間を終了させることを特徴とする請求項１〜４の何れか一項に記載の動画撮影装置。
【請求項６】
前記優先度設定手段は、前記動作判別手段により移動時の状況の種別が判別された場合、当該状況の開始時点に対応する時点にまで遡って前記優先度の設定を行うことを特徴とする請求項１〜５の何れか一項に記載の動画撮影装置。
【請求項７】
前記センサには、磁場センサ、加速度センサ、及び、気圧センサが含まれることを特徴とする請求項１〜６の何れか一項に記載の動画撮影装置。
【請求項８】
一連の動画の部分毎に優先度が自動設定された動画データをダイジェスト再生するための再生部分を設定するダイジェスト再生設定装置であって、
高い優先度が設定された動画部分から順番に選択する部分選択手段と、
この部分選択手段で動画部分が選択される毎に、選択された動画部分の合計時間と、予め設定されたダイジェスト再生時間の範囲とを比較する選択時間比較手段と、
この選択時間比較手段により、前記選択された動画部分の合計時間が前記ダイジェスト再生時間の範囲を超えたと判別された場合には、この一回前迄に選択されていた前記動画部分をダイジェスト再生対象の動画の再生部分として設定する設定手段、
を備えることを特徴とするダイジェスト再生設定装置。
【請求項９】
前記部分選択手段は、前記優先度の等しい前記動画部分が複数存在し、当該優先度の等しい動画部分を全て選択すると、当該選択された動画部分の合計時間が前記予め設定されたダイジェスト再生時間の範囲を超過する場合には、前記優先度の等しい動画部分のうち、前記動画の先頭、終端、又は、既に前記再生部分として設定された前記動画部分を示す時刻の中で、各動画部分の両隣に隣接する２箇所からより均等且つより大きく離れている動画部分を優先的に前記ダイジェスト再生対象の動画の再生部分として設定することを特徴とする請求項８記載のダイジェスト再生設定装置。
【請求項１０】
前記部分選択手段は、優先度が設定された前記動画部分のうち、各々所定の時間幅の動画部分を前記ダイジェスト再生対象の動画の再生部分に含めることを特徴とする請求項８又は９記載のダイジェスト再生設定装置。
【請求項１１】
動画を撮影する撮影手段と、移動時の状況を検出するための計測を行うセンサと、を備えた動画撮影装置による動画撮影方法であって、
前記センサの計測値に基づいて前記移動時の状況の種別を判別する動作判別ステップ、
この動作判別ステップで判別された前記状況の種別に応じて、前記撮影手段により撮影された動画において、当該状況の種別が判別された期間に対応する動画部分に対して所定の基準に基づき優先度を設定する優先度設定ステップ、
この優先度設定ステップで設定された優先度と、前記動画部分とを対応付けて記憶する記録ステップ、
を含むことを特徴とする動画撮影方法。
【請求項１２】
動画を撮影する撮影手段と、移動時の状況を検出するための計測を行うセンサと、を備えた動画撮影装置に用いられるコンピュータを、
前記センサの計測値に基づいて前記移動時の状況の種別を判別する動作判別手段、
この動作判別手段により判別された前記状況の種別に応じて、前記撮影手段により撮影された動画において、当該状況の種別が判別された期間に対応する動画部分に対して所定の基準に基づき優先度を設定する優先度設定手段、
この優先度設定手段により設定された優先度と、前記動画部分とを対応付けて記憶する記録手段、
として機能させるためのプログラム。
【請求項１３】
一連の動画の部分毎に優先度が自動設定された動画データをダイジェスト再生するための再生部分を設定するダイジェスト再生の設定方法であって、
高い優先度が設定された動画部分から順番に選択する部分選択ステップ、
この部分選択ステップで動画部分が選択される毎に、選択された動画部分の合計時間と、予め設定されたダイジェスト再生時間の範囲とを比較する選択時間比較ステップ、
この選択時間比較ステップで、前記選択された動画部分の合計時間が前記ダイジェスト再生時間の範囲を超えたと判別された場合には、この一回前迄に選択されていた前記動画部分をダイジェスト再生対象の動画の再生部分として設定する設定ステップ、
を含むことを特徴とするダイジェスト再生の設定方法。
【請求項１４】
コンピュータを、
一連の動画の部分毎に優先度が自動設定された動画データをダイジェスト再生するための再生部分を設定するダイジェスト再生設定手段として機能させるプログラムであって、
前記ダイジェスト再生設定手段は、
高い優先度が設定された動画部分から順番に選択する部分選択手段、
この部分選択手段で動画部分が選択される毎に、選択された動画部分の合計時間と、予め設定されたダイジェスト再生時間の範囲とを比較する選択時間比較手段、
この選択時間比較手段により、前記選択された動画部分の合計時間が前記ダイジェスト再生時間の範囲を超えたと判別された場合には、この一回前迄に選択されていた前記動画部分をダイジェスト再生対象の動画の再生部分として設定する設定手段、
を備えることを特徴とするプログラム。
【手続補正３０】
【補正対象書類名】図面
【補正対象項目名】図１
【補正方法】変更
【補正の内容】
【図１】
2013197995.tif 000001
【手続補正３１】
【補正対象書類名】図面
【補正対象項目名】図５
【補正方法】変更
【補正の内容】
【図５】
2013197995.tif 000002